(57)【特許請求の範囲】
【請求項１】
柱主筋が上面からの突出状態に埋設されたプレキャスト柱部材に対し、下方に開口する順梁開口部及び逆梁開口部をそれぞれ有する順梁接合部及び逆梁接合部が一体的にそれぞれ形成されたプレキャスト順梁部材及びプレキャスト逆梁部材が、前記順梁接合部及び逆梁接合部をそれぞれ介して段違いに接合された柱と梁の接合構造であって、
前記順梁接合部及び逆梁接合部は、前記柱主筋の突出部を前記順梁開口部及び逆梁開口部を通過させて貫通させるための順梁貫通孔及び逆梁貫通孔と、硬化性充填材を前記順梁開口部及び逆梁開口部に充填するための順梁充填孔及び逆梁充填孔とをそれぞれ有し、
前記プレキャスト順梁部材は、その順梁接合部が前記プレキャスト柱部材の上面に載置され、前記柱主筋の突出部が前記順梁貫通孔を貫通して上方に突出する状態で設けられ、
前記プレキャスト逆梁部材は、その逆梁接合部が前記順梁接合部の上面に載置され、この順梁接合部からの前記柱主筋の突出部が前記逆梁貫通孔を貫通して上方に突出する状態で設けられ、
前記接合は、前記順梁開口部及び逆梁開口部に対し、前記順梁充填孔及び逆梁充填孔から硬化性充填材がそれぞれ充填された状態でなされていることを特徴とする柱と梁の接合構造。
【請求項２】
前記硬化性充填材は、モルタルであることを特徴とする請求項１に記載の柱と梁の接合構造。
【発明の詳細な説明】
【０００１】
【発明の属する技術分野】
本発明は、コンクリート構造物の構築に際して用いられる柱と梁の接合構造に関する。
【０００２】
【従来の技術】
コンクリート構造物の構築は、特に高層建築物等においては、現場配筋を行い、これにコンクリートを現場打設する在来工法から、柱や梁をプレキャスト化したプレキャスト柱部材やプレキャスト梁部材を、これらの接合部においてのみコンクリートを現場打設して架構を形成するプレキャスト化工法に変わりつつある。このようなプレキャスト化工法は、予め工場等で作成されたプレキャスト柱部材やプレキャスト梁部材を現場で所定の位置に配設し、コンクリートを部分的に現場打設することで行えるため、工期の短縮を図ることができる。（例えば特許文献１参照）
【０００３】
【特許文献１】
特開平１１−２８０１４６号公報（段落〔０００８〕〜〔００１３〕）
【０００４】
【発明が解決しようとする課題】
ところで、上記従来の技術は、接合部のコンクリート打設のための型枠を組み立てる手間がある他、接合部全体にコンクリートを現場打設するため、接合部のコンクリート強度が完全に発現するまでの間、上階の施工ができなかった。
また、プレキャスト柱部材に対し、プレキャスト梁部材を段違いに、例えば、スラブ下に凸状となる通常の順梁と、スラブ上に凸状となる逆梁とを接合する場合には、接合部が大きくなり、コンクリートの打設量が増加し、プレキャスト化のメリットがなくなってしまうという欠点があった。
【０００５】
本発明の課題は、接合部の上階の施工をより早く行え、接合部にコンクリートを全面的に打設する必要がない柱と梁の接合構造を提供することである。
【０００６】
【課題を解決するための手段】
以上の課題を解決するために、請求項１に記載の発明は、例えば図１〜図３に示すように、
柱主筋１１ａが上面１１ｂからの突出状態に埋設されたプレキャスト柱部材１１に対し、下方にそれぞれ開口する順梁開口部１４ａ及び逆梁開口部１５ａを有する順梁接合部１４及び逆梁接合部１５を一体的にそれぞれ形成するプレキャスト順梁部材１２及びプレキャスト逆梁部材１３が、前記順梁接合部１４及び逆梁接合部１５をそれぞれ介して段違いに接合された柱と梁の接合構造であって、
前記順梁接合部１４及び逆梁接合部１５は、前記柱主筋１１ａの突出部１１ａ１を前記順梁開口部１４ａ及び逆梁開口部１５ａを通過させて貫通させるための順梁貫通孔１４ａ１及び逆梁貫通孔１５ａ１と、硬化性充填材（モルタル）を前記順梁開口部１４ａ及び逆梁開口部１５ａに充填するための順梁充填孔１４ａ２及び逆梁充填孔１５ａ２とをそれぞれ有し、
前記プレキャスト順梁部材１２は、その順梁接合部１４が前記プレキャスト柱部材１１の上面１１ｂに載置され、前記柱主筋１１ａの突出部１１ａ１が前記順梁貫通孔１４ａ１を貫通して上方に突出する状態で設けられ、
前記プレキャスト逆梁部材１３は、その逆梁接合部１５が前記順梁接合部１４の上面に載置され、この順梁接合部１４からの前記柱主筋１１ａの突出部１１ａ１が前記逆梁貫通孔１５ａ１を貫通して上方に突出する状態で設けられ、
前記接合は、前記順梁開口部１４ａ及び逆梁開口部１５ａに対し、前記順梁充填孔１４ａ２及び逆梁充填孔１５ａ２から硬化性充填材（モルタル）がそれぞれ充填された状態でなされていることを特徴としている。
【０００７】
請求項１に記載の発明によれば、柱と梁の接合構造においては、プレキャスト順梁部材を、その順梁接合部がプレキャスト柱部材の上面に載置され、柱主筋の突出部が順梁貫通孔を貫通して上方に突出する状態で設けることができる。また、逆梁プレキャスト梁部材を、その逆梁接合部が順梁接合部の上面に載置され、この順梁接合部からの柱主筋の突出部が逆梁貫通孔を貫通して上方に突出する状態で設けることができる。そして、順梁開口部及び逆梁開口部に対し、順梁充填孔及び逆梁充填孔から硬化性充填材をそれぞれ充填することで、プレキャスト柱部材に対し、プレキャスト順梁部材及びプレキャスト逆梁部材を、順梁接合部及び逆梁接合部を介して段違いに接合することができる。
【０００８】
したがって、従来のように、接合部にコンクリートを全面的に打設する必要がない。また、プレキャスト順梁部材及びプレキャスト逆梁部材は、それらの順梁接合部及び逆梁接合部が有する順梁貫通孔及び逆梁貫通孔に対し、プレキャスト柱部材の柱主筋の突出部を貫通させながら設けることができるため、施工が容易である。また、順梁接合部及び逆梁接合部はプレキャストであるため、コンクリート強度が発現しており、従来に比して接合部の上階の施工をより早く行うことができる。
【０００９】
請求項２に記載の発明は、例えば図１〜図３に示すように、請求項１に記載の柱と梁の接合構造において、
前記硬化性充填材はモルタルであることを特徴としている。
【００１０】
請求項２に記載の発明によれば、硬化性充填材はモルタルであるので、順梁開口部及び逆梁開口部に対して確実に充填することができるとともに、接合部の強度の発現を早めることができる。
【００１１】
【発明の実施の形態】
本発明である柱と梁の接合構造を、図１〜図３を参照して詳細に説明する。
図１等において符号１０は、本発明に係る柱と梁の接合部を示す。
【００１２】
本発明に係る柱と梁の接合部１０は、図１に示すように、柱主筋１１ａが上面１１ｂからの突出状態に埋設されたプレキャスト柱部材１１に対し、下方にそれぞれ開口する順梁開口部１４ａ及び逆梁開口部１５ａを有する順梁接合部１４及び逆梁接合部１５を一体的にそれぞれ形成するプレキャスト順梁部材１２及びプレキャスト逆梁部材１３が、順梁接合部１４及び逆梁接合部１５をそれぞれ介して段違いに接合されたものである。なお、図１において、符号１２ａ、１３ａは、梁主筋をそれぞれ示す。
【００１３】
順梁接合部１４及び逆梁接合部１５には、梁主筋１２ａ、１３ａが適宜折り曲げられて必要定着長さが確保されている。必要定着長さの確保は、順梁接合部１４及び逆梁接合部１５を構成するコンクリートに予め埋設されてなされている。
【００１４】
順梁接合部１４は、柱主筋１１ａの突出部１１ａ１を順梁開口部１４ａを通過させて貫通させるための順梁貫通孔１４ａ１と、後述するモルタルを順梁開口部１４ａに充填するための順梁充填孔１４ａ２とを有している。
【００１５】
同様に、逆梁接合部１５は、柱主筋１１ａの突出部１１ａ１を順梁開口部１５ａを通過させて貫通させるための順梁貫通孔１５ａ１と、後述するモルタルを逆梁開口部１５ａに充填するための逆梁充填孔１５ａ２とを有している。
【００１６】
プレキャスト順梁部材１２は、図２に示すように、その順梁接合部１４がプレキャスト柱部材１１の上面１１ｂに載置され、柱主筋１１ａの突出部１１ａ１が順梁貫通孔１４ａ１を貫通して上方に突出する状態で設けられている。
【００１７】
プレキャスト逆梁部材１３は、図３に示すように、その逆梁接合部１５が順梁接合部１４の上面に載置され、この順梁接合部１４からの柱主筋１１ａの突出部１１ａ２が逆梁貫通孔１５ａ１を貫通して上方に突出する状態で設けられている。
【００１８】
プレキャスト柱部材１１に対するプレキャスト順梁部材１２の接合は、順梁開口部１４ａに対し、順梁充填孔１４ａ２から図示しないモルタルが充填された状態でなされている。また、プレキャスト柱部材１１に対するプレキャスト逆梁部材１３の接合は、逆梁開口部１５ａに対し、逆梁充填孔１５ａ２から図示しないモルタルが充填された状態でなされている。モルタルは、高流動性かつ高強度で速硬性のものである。順梁開口部１４ａ及び逆梁開口部１５ａに対するモルタルの充填は、柱主筋１１ａが埋設される状態でなされている。なお、プレキャスト順梁部材１２の上面には、床型枠を設置するか、あるいはハーフＰＣａ版が載置された後、スラブ筋を現場配筋しコンクリートを打設して構築される。
【００１９】
以上、本実施の形態によれば、以下のような効果を得ることができる。
【００２０】
▲１▼本発明に係る柱と梁の接合構造においては、プレキャスト順梁部材１２を、その順梁接合部１４がプレキャスト柱部材１１の上面１１ｂに載置され、柱主筋１１ａの突出部１１ａ１が順梁貫通孔１４ａ１を貫通して上方に突出する状態で設けることができる。また、プレキャスト逆梁部材１３を、その逆梁接合部１５が順梁接合部１４の上面に載置され、この順梁接合部１４からの柱主筋１１ａの突出部１１ａ２が逆梁貫通孔１５ａ１を貫通して上方に突出する状態で設けることができる。そして、順梁開口部１４ａ及び逆梁開口部１５ａに対し、順梁充填孔１４ａ２及び逆梁充填孔１５ａ２からモルタルをそれぞれ充填することで、プレキャスト柱部材１１に対し、プレキャスト順梁部材１２及びプレキャスト逆梁部材１３を、順梁接合部１４及び逆梁接合部１５を介して段違いに接合することができる。
【００２１】
したがって、従来のように、接合部１０にコンクリートを全面的に打設する必要がない。また、プレキャスト順梁部材１２及びプレキャスト逆梁部材１３は、それらの順梁接合部１４及び逆梁接合部１５が有する順梁貫通孔１４ａ１及び逆梁貫通孔１５ａ１に対し、プレキャスト柱部材１１の柱主筋１１ａの突出部１１ａ１、１１ａ２を貫通させながら設けることができるため、施工が容易である。また、順梁接合部１４及び逆梁接合部１５はプレキャストであるため、コンクリート強度が発現しており、従来に比して接合部１０の上階の施工をより早く行うことができる。
【００２２】
▲２▼高流動性かつ高強度で速硬性のモルタルによって、順梁開口部１４ａ及び逆梁開口部１５ａに対して確実に充填することができるとともに、順梁接合部１４及び逆梁接合部１５の強度の発現を早めることができる。
【００２３】
なお、本発明に係る柱と梁の接合構造は、本実施の形態に限定されることなく、本発明の主旨を逸脱しない範囲において種々の改良並びに設計の変更を行っても良い。
【００２４】
【発明の効果】
請求項１に記載の発明によれば、従来のように、接合部にコンクリートを全面的に打設する必要がなく、施工が容易であり、従来に比して接合部の上階の施工をより早く行うことができる。
【００２５】
請求項２に記載の発明によれば、請求項１に記載の発明により得られる効果に加え、順梁開口部及び逆梁開口部に確実に充填できて、接合部の強度の発現を早めることができるといった利点が得られる。
【図面の簡単な説明】
【図１】本発明に係るプレキャスト柱部材、プレキャスト順梁部材、プレキャスト逆梁部材を示す斜視図である。
【図２】本発明に係るプレキャスト柱部材に対し接合されたプレキャスト順梁部材、プレキャスト逆梁部材を示す斜視図である。
【図３】本発明に係るプレキャスト柱部材、プレキャスト順梁部材、プレキャスト逆梁部材が接合された状態を示す斜視図である。
【符号の説明】
１０            接合部
１１            プレキャスト柱部材
１１ａ        柱主筋
１１ａ１    突出部
１１ａ２    突出部
１１ｂ        上面
１２            プレキャスト順梁部材
１２ａ        梁主筋
１３            プレキャスト逆梁部材
１３ａ        梁主筋
１４            順梁接合部
１４ａ        順梁開口部
１４ａ１    順梁貫通孔
１４ａ２    順梁充填孔
１５            逆梁接合部
１５ａ        逆梁開口部
１５ａ１    逆梁貫通孔
１５ａ２    逆梁充填孔
【図１】
0003655614.tif 000002
【図２】
0003655614.tif 000003
【図３】
0003655614.tif 000004